(57)【要約】      （修正有）【課題】椅子の制作コストとパーツの在庫を減少させることができる椅子の連接構造を提供する。【解決手段】椅子の連接構造は椅子背もたれ１及び連接ユニット２により構成される。椅子背もたれ１は少なくともサポートバー１１、及びサポートバー１１上に設置される背もたれクッション１２を含む。連接ユニット２の一端にはサポートバー１１の適当な位置に固設されるフック板２１を備え、反対端には横方向に固定板２２が延伸する。これにより、椅子背もたれ１とクッション結合時には連接ユニット２が利用され、組み立てが容易になり、製造時間と製造工程とを減少させることができ、椅子背もたれ１とクッション１２結合後は堅固な設置の効果を達成できる。【選択図】図３
0003143341.tif 000002
【実用新案登録請求の範囲】
【請求項１】
椅子の連接構造であって、この椅子の連接構造は椅子背もたれと、連接ユニットとを含み、
前記椅子背もたれは少なくともサポートバー、及び前記サポートバー上に設置される背もたれクッションを含み、
前記連接ユニットの一端には前記サポートバーの適当な位置に固設されるフック板を備え、反対端には横方向に固定板が延伸し、前記フック板と固定板とは一体成型されることを特徴とする椅子の連接構造。
【請求項２】
前記フック板のサポートバーに対応する一面は曲弧面であることを特徴とする請求項１に記載の椅子の連接構造。
【請求項３】
前記フック板はサポートバーの適当な位置に溶接固設されることを特徴とする請求項２に記載の椅子の連接構造。
【請求項４】
前記固定板は固定部品に対応穿設する多数の固定孔が備わることを特徴とする請求項１記載の椅子の連接構造。
【考案の詳細な説明】
【技術分野】
【０００１】
本考案は椅子の連接構造に関し、特に椅子背もたれとクッションとの結合時に、組み立てが容易になり、製造時間と製造工程とを減少させることができ、椅子背もたれとクッション結合後は堅固な設置の効果を達成することができる椅子の連接構造に係る。
【背景技術】
【０００２】
公知の椅子において、椅子背もたれ５とクッション６との結合時（図１参照）、通常は連接板７の固定部７１に固定部品７２とクッション６のレシーブ＆キャリー台６１とを対応させ固定する。この後、さらに前記連接板７の一端の湾折部７３の端縁を椅子背もたれ５のサポートバー５１上に溶接し、最後にL型補強板８の二端を利用し、それぞれ湾折部７３の適当な位置とサポートバー５１上に溶接し、椅子背もたれ５とクッション６との結合を完成する。
しかし、前記椅子の椅子背もたれ５とクッション６は組み立て時に、連接板７の固定部７１、湾折部７３及びL型補強板８により結合されるため、前記椅子の製作時に、より多くのパーツの在庫を準備する必要があり、しかも組み立てが容易でなく、製作コストが高く、及び組み立ての手順が煩雑である等の状況があり、前記椅子は組み立て時に製造時間と製造工程とを徒に費やすことになっている。しかも前記湾折部７３及びL型補強板８は端縁とサポートバー５１の溶接によってのみ結合されるため、前記椅子背もたれ５とクッション６結合後の定位は不十分で、堅固性に欠ける状況であった。
【考案の開示】
【考案が解決しようとする課題】
【０００３】
本考案が解決しようとする第一の課題は、椅子背もたれとクッション結合時に連接ユニットを利用し、組み立てが容易になり、製造時間と製造工程を減少させることができ、椅子背もたれとクッション結合後は堅固な設置の効果を達成することであり、
本考案が解決しようとする第二の課題は、椅子の製作コストとパーツの在庫を減少させることができる椅子の連接構造を提供することである。
【課題を解決するための手段】
【０００４】
上記課題を解決するため、本考案は下記の椅子の連接構造を提供する。
椅子の連接構造は椅子背もたれ及び連接ユニットにより構成され、
前記椅子背もたれは少なくともサポートバー、及び前記サポートバー上に設置される背もたれクッションを含み、
前記連接ユニットの一端には前記サポートバーの適当な位置に固設されるフック板を備え、反対端には横方向に固定板が延伸する。
【考案の効果】
【０００５】
上記のように、本考案の椅子の連接構造は公知構造の欠点の改善に有効で、椅子背もたれとクッション結合時に連接ユニットを利用し、組み立てが容易になり、製造時間と製造工程を減少させることができ、椅子背もたれとクッション結合後は堅固な設置の効果を達成し、しかも前記椅子の製作コストとパーツの在庫を減少させることができる。
【考案を実施するための最良の形態】
【０００６】
それぞれ本考案の立体分解指示図、本考案の立体外観指示図及び本考案図３のA-A断面指示図である図２、３、４に示されるように、本考案の椅子の連接構造は少なくとも椅子背もたれ１及び連接ユニット２により構成される。
これにより前記椅子背もたれ１とクッション結合時には連接ユニット２が利用され、組み立てが容易になり、製造時間と製造工程を減少させることができ、椅子背もたれとクッション結合後は堅固な設置の効果を達成し、しかも前記椅子の製作コストとパーツの在庫を減少させることができる。
【０００７】
前記椅子背もたれ１は少なくともサポートバー１１、及び前記サポートバー１１上に設置される背もたれクッション１２を含む。
前記連接ユニット２は金属材質で構成されており、その一端には前記サポートバー１１の適当な位置に溶接固設されるフック板２１を備え、反対端には横方向に固定板２２が延伸する。
前記フック板２１のサポートバー１１に対応する一面は曲弧面２１１で（サポートバー１１の構造に応じて、方形或いは他の形状とすることができる）、前記固定板２２上には多数の固定孔２２１を備える。しかも前記フック板２１と固定板２２は一体成型の方式により製造される。こうして前記の構造により全く新しい椅子の連接構造が構成される。
【０００８】
それぞれ本考案とクッションの組み立て状態指示図、本考案とクッションとの組み立て後の指示図及び本考案が椅子へと結合される断面状態指示図である図５、６、７に示されるように、本考案の組み立て時には、先ず連接ユニット２のフック板２１をサポートバー１１上に溶接固設する。
次に前記連接ユニット２上の横方向に延伸する固定板２２をクッション３のレシーブ＆キャリー台３１上に設置し、しかも前記固定板２２上の固定孔２２１と前記レシーブ＆キャリー台３１上の穿孔３１１とを対応させる。こうして多数の固定部品４を利用し、前記各固定孔２２１と穿孔３１１とを対応穿設し、固定する。
これにより、前記椅子背もたれ１とクッション３は組み立てが容易となり、製造時間と製造工程を減少させることができ、堅固な結合を達成することができる。
しかも本考案の椅子背もたれ１とクッション３結合時には、連接ユニット２により必要な結合を行うだけであるため、前記椅子の製作コストを引き下げることができ、組み立てに必要な材料を節減可能で、パーツの在庫を減らすことができる。
本考案の椅子の連接構造は公知構造の欠点の改善に有効で、椅子背もたれとクッション結合時には連接ユニットが利用され、組み立てが容易になり、製造時間と製造工程とを減少させることができ、椅子背もたれとクッション結合後は堅固な設置の効果を達成し、しかも前記椅子の製作コストとパーツの在庫を減少させることができる。すなわち本考案は進歩性、実用性を備え、さらには使用者のニーズに合致しているため、実用新案登録請求の要件を満たしている。
【図面の簡単な説明】
【０００９】
【図１】公知の椅子の連接構造指示図である。
【図２】本考案の立体分解指示図である。
【図３】本考案の立体外観指示図である。
【図４】本考案の図３のA-A断面指示図である。
【図５】本考案とクッションとの組み立て状態指示図である。
【図６】本考案とクッションとの組み立て後の指示図である。
【図７】本考案が椅子へと結合される断面状態指示図である。
【符号の説明】
【００１０】
５  椅子背もたれ
５１  サポートバー
６  クッション
６１  レシーブ＆キャリー台
７  連接板
７１  固定部
７２  固定部品
７３  湾折部
８  L型補強板
１  椅子背もたれ
１１  サポートバー
１２  背もたれクッション
２  連接ユニット
２１  フック板
２１１  曲弧面
２２  固定板
２２１  固定孔
３  クッション
３１  レシーブ＆キャリー台
３１１  穿孔
４  固定部品
【図１】
0003143341.tif 000003
【図２】
0003143341.tif 000004
【図３】
0003143341.tif 000005
【図４】
0003143341.tif 000006
【図５】
0003143341.tif 000007
【図６】
0003143341.tif 000008
【図７】
0003143341.tif 000009